(57)【特許請求の範囲】
【請求項１】
監視信号を発生する監視信号発生器、検出対象信号が入力される１次巻線と上記監視信号が入力される監視巻線と上記両巻線と磁気的に結合された２次巻線とを有する空心形の入力トランス、ローカットのフィルタ特性を有し上記２次巻線からの信号を積分する積分器、ハイカットのフィルタ特性を有し上記積分器からの信号の周波数特性を調整するアナログフィルタ、このアナログフィルタからの信号をディジタル信号に変換するＡ／Ｄ変換器、およびこのＡ／Ｄ変換器からの信号を処理することにより、上記検出対象信号の変化に応じて出力する保護リレー信号と上記監視信号の変化に応じて出力する機器異常信号を作成するディジタル処理部を備えた保護リレー監視装置であって、
上記監視信号発生器で発生する監視信号の周波数を上記フィルタ特性のカットオフ周波数またはその近傍の周波数に設定したことを特徴とする保護リレー監視装置。
【請求項２】
監視信号発生器は第１および第２の監視信号を発生し、上記第１の監視信号の周波数は上記積分器の有するフィルタ特性のカットオフ周波数またはその近傍の周波数に設定し、上記第２の監視信号の周波数は上記アナログフィルタの有するフィルタ特性のカットオフ周波数またはその近傍の周波数に設定したことを特徴とする請求項１記載の保護リレー監視装置。
【請求項３】
第１および第２の監視信号の両信号を入力トランスの監視巻線に入力するようにしたことを特徴とする請求項２記載の保護リレー監視装置。
【請求項４】
第１の監視信号は入力トランスの監視巻線に入力し、第２の監視信号はアナログフィルタに直接入力するようにしたことを特徴とする請求項２記載の保護リレー監視装置。
【請求項５】
アナログフィルタの有するフィルタ特性が高域側および低域側のカットオフ周波数を有するバンドパス特性であって、上記低域側カットオフ周波数が積分器のフィルタ特性のカットオフ周波数より高い場合、
監視信号発生器は第１および第２の監視信号に加え、上記アナログフィルタの低域側カットオフ周波数またはその近傍の周波数の第３の監視信号を発生すると共に、上記第１の監視信号の監視は、上記アナログフィルタを経由すること無く上記積分器から導出しＡ／Ｄ変換した信号に基づき行うようにしたことを特徴とする請求項２記載の保護リレー監視装置。
【請求項６】
ディジタル処理部は、検出した監視信号の振幅の変化が所定の設定範囲を越えたとき機器異常信号を出力することを特徴とする請求項１ないし５のいずれかに記載の保護リレー監視装置。
【請求項７】
ディジタル処理部は、検出した監視信号の位相の変化が所定の設定範囲を越えたとき機器異常信号を出力することを特徴とする請求項１ないし５のいずれかに記載の保護リレー監視装置。
【発明の詳細な説明】
【０００１】
【発明の属する技術分野】
この発明は、ディジタル保護リレーの機器自体の異常を監視する保護リレー監視装置に係り、特に、入力トランスに空心形を用いたディジタル保護リレーの監視装置に関するものである。
【０００２】
【従来の技術】
図５は、例えば特公平３−７９９３１号公報に記載されたディジタル保護リレーの監視装置である。図において、１は送電線路、２は送電線路１に設けられた一次変流器、３は一次変流器２の出力電流を更に変換する鉄心入りの入力トランス、４は入力トランス３の出力を電圧信号に変換するために入力トランス３の２次巻線端子間に接続された負荷抵抗、５は入力トランス３の出力信号の低周波あるいは高周波成分を除去するアナログフィルタ、６はアナログフィルタ５からの出力を定められた任意の一定周期で、一定時間保持するためのサンプルホールド、７は監視信号を発生する監視信号発生器、８は監視信号発生器７の出力を増幅する増幅器、９は増幅器８からの監視信号を入力するための監視巻線、１０はサンプルホールド６で保持した信号を切り替えるためのマルチプレクサ、１１はマルチプレクサ１０からの信号を量子化するＡ／Ｄ変換器、１２はＡ／Ｄ変換器１１の出力信号をディジタル処理するディジタル処理部である。
【０００３】
なお、図５は送電線の三相成分（ａ、ｂ、ｃ相）及び零相成分（ｏ）相当の電流測定系を示すもので、各相とも同じ構成であるので、ここではｂ、ｃ相は図示を省略し、ａ相、零相ｏのみを各符号のサフィックスで表示して図示している。また、電圧測定系は省略している。
【０００４】
ディジタル処理部１２は、検出対象信号である電流、電圧信号の変化に応じて出力する保護リレー信号と上記監視信号の変化に応じて出力する機器異常信号を作成するが、先ず、前者の保護リレーとしての動作について説明する。
一次変流器２で検出された送電線路１の電流信号は入力トランス３を経てアナログフィルタ５に入力される。ディジタル保護リレーでは種々のリレー特性から要求される総合的フィルタ特性をディジタル処理とアナログ処理との組み合わせで実現する。アナログフィルタ５は、Ａ／Ｄ変換時に問題となる、いわゆる折り返し信号の発生を防止するための折り返し周波数以上の高調波成分の除去を主目的としている。
このアナログフィルタ５の出力信号をサンプルホールド６で全入力チャンネルを同時サンプルし、Ａ／Ｄ変換器１１でディジタル値に変換する。このようにして、検出対象である電力系統の入力信号を処理し、リレー演算を行い必要な保護リレー信号を出力する。
【０００５】
次に、以上のような信号処理を行うディジタル保護リレーの監視装置の動作について説明する。
鉄心入りの入力トランス３には、送電線路１を流れる系統電流Ｉに基づく一次変流器２の２次出力と監視巻線９を流れる監視信号とが入力される。これにより、系統電流信号に監視信号が常時重畳される形になる。
この監視巻線９に供給される電流は監視信号発生器７の出力信号を増幅器８により増幅したもので、監視巻線９では一定の周波数と電流値を保持している。
このように、監視信号は入力トランス３、アナログフィルタ５、サンプルホールド６、マルチプレクサ１０、Ａ／Ｄ変換器１１を介して、ディジタル値に変換される。
Ａ／Ｄ変換器１１によるディジタルデータは前述のリレーアルゴリズム上、都合の良い周期、一般的には系統周波数の電気角３０°間隔毎にサンプリングされＡ／Ｄ変換されたものである。
これらのディジタルデータはディジタル処理部１２により監視信号成分の抽出処理を行い、抽出した監視信号の大きさを見ることで入力トランス３からＡ／Ｄ変換器１１までの回路不良を検出し、ディジタル処理部１２より図５に示すように“警報信号”を出力する。
【０００６】
次に、監視信号の周波数を系統周波数の４倍に設定した場合を一例に、監視信号成分の抽出方法を説明する。即ち、監視信号を抽出するためのディジタルフィルタの周波数特性は（１）式で表される。
Ｇ＝２｜ｃｏｓ（ｎπ／２）｜          …（１）
Ｇ：入力に対する出力倍数
ｎ：フィルタ入力周波数の系統周波数に対する倍数
（１）式に系統周波数（ｎ＝１）、監視信号周波数（ｎ＝４）を適用した結果は、
系統周波数      …（ｎ＝１）Ｇ＝２｜ｃｏｓ（π／２）｜＝０    …（２）
監視信号周波数  …（ｎ＝４）Ｇ＝２｜ｃｏｓ（４π／２）｜＝２  …（３）
となり、図６に示すように系統周波数の信号は除去され監視信号周波数の信号は２倍となって抽出される。図６は（１）式の周波数特性を示している。
監視信号の大きさは既知であるため、ディジタル処理部１２において、予め設定したしきい値と比較することにより、入力トランス３からＡ／Ｄ変換器１１までの回路不良の検出を行うことができる。
【０００７】
また、保護リレーとしての機能を実行するには、監視信号成分を取り除く必要がある。その一例として、前述と同様、監視信号の周波数を系統周波数の４倍に設定した場合を例に説明する。
監視信号の周波数成分を除くため（４）式で示すディジタルフィルタ処理を行う。
Ｇ＝２｜ｃｏｓ（ｎπ／４）｜          …（４）
Ｇ：入力に対する出力倍数
ｎ：フィルタ入力周波数の系統周波数に対する倍数
（４）式に系統周波数（ｎ＝１）、監視信号周波数（ｎ＝４）を適用した結果は、
系統周波数      …（ｎ＝１）Ｇ＝２｜ｃｏｓ（π／４）｜＝√２  …（５）
監視信号周波数  …（ｎ＝４）Ｇ＝２｜ｃｏｓ（４π／２）｜＝０  …（６）
となり、図７に示すように系統周波数の信号成分が抽出される。図７は（４）式の周波数特性を示している。
【０００８】
【発明が解決しようとする課題】
従来の保護リレー監視装置は以上のように構成されており、入力トランスに鉄心入りタイプのものを用いる装置に適用する場合には有効であるが、入力トランスに空心形を使用しその２次巻線の出力を積分する積分器と組み合わせたタイプのものを用いた装置に適用する場合には有効ではない。
即ち、上記組み合わせの場合、積分器が低周波信号を積分して飽和することがないよう、通常この積分器にロー（低域）カット回路を付加するが、従来の監視方式の場合には、この低域カット回路の故障検出が不可能となる欠点がある。
また、従来の監視方式では、監視信号の種別によってはアナログフィルタ自体の故障についても検出できない場合があった。
【０００９】
この発明は以上のような問題点を解消するためになされたもので、フィルタ回路部分の故障についても確実に検出することができる保護リレー監視装置を得ることを目的とする。
【００１０】
【課題を解決するための手段】
この発明に係る保護リレー監視装置は、監視信号を発生する監視信号発生器、検出対象信号が入力される１次巻線と上記監視信号が入力される監視巻線と上記両巻線と磁気的に結合された２次巻線とを有する空心形の入力トランス、ローカットのフィルタ特性を有し上記２次巻線からの信号を積分する積分器、ハイカットのフィルタ特性を有し上記積分器からの信号の周波数特性を調整するアナログフィルタ、このアナログフィルタからの信号をディジタル信号に変換するＡ／Ｄ変換器、およびこのＡ／Ｄ変換器からの信号を処理することにより、上記検出対象信号の変化に応じて出力する保護リレー信号と上記監視信号の変化に応じて出力する機器異常信号を作成するディジタル処理部を備えた保護リレー監視装置であって、
上記監視信号発生器で発生する監視信号の周波数を上記フィルタ特性のカットオフ周波数またはその近傍の周波数に設定したものである。
【００１１】
また、この発明に係る保護リレー監視装置の監視信号発生器は第１および第２の監視信号を発生し、上記第１の監視信号の周波数は上記積分器の有するフィルタ特性のカットオフ周波数またはその近傍の周波数に設定し、上記第２の監視信号の周波数は上記アナログフィルタの有するフィルタ特性のカットオフ周波数またはその近傍の周波数に設定したものである。
【００１２】
また、この発明に係る保護リレー監視装置は、その第１および第２の監視信号の両信号を入力トランスの監視巻線に入力するようにしたものである。
【００１３】
また、この発明に係る保護リレー監視装置は、その第１の監視信号は入力トランスの監視巻線に入力し、第２の監視信号はアナログフィルタに直接入力するようにしたものである。
【００１４】
また、この発明に係る保護リレー監視装置は、そのアナログフィルタの有するフィルタ特性が高域側および低域側のカットオフ周波数を有するバンドパス特性であって、上記低域側カットオフ周波数が積分器のフィルタ特性のカットオフ周波数より高い場合、
監視信号発生器は第１および第２の監視信号に加え、上記アナログフィルタの低域側カットオフ周波数またはその近傍の周波数の第３の監視信号を発生すると共に、上記第１の監視信号の監視は、上記アナログフィルタを経由すること無く上記積分器から導出しＡ／Ｄ変換した信号に基づき行うようにしたものである。
【００１５】
また、この発明に係る保護リレー監視装置のディジタル処理部は、検出した監視信号の振幅の変化が所定の設定範囲を越えたとき機器異常信号を出力するものである。
【００１６】
また、この発明に係る保護リレー監視装置のディジタル処理部は、検出した監視信号の位相の変化が所定の設定範囲を越えたとき機器異常信号を出力するものである。
【００１７】
【発明の実施の形態】
実施の形態１．
図１はこの発明の実施の形態１における保護リレー監視装置を示す構成図である。なお、図１は電流検出系のみを示し、また三相各相成分（ａ、ｂ、ｃ）及び零相成分（ｏ）はいずれも同一の構成であるので、各符号にａのサフィックスを付したａ相のみを図示している。
図１において、１は検出対象である系統電流Ｉが流れる送電線路、２は送電線路１に設けられた一次変流器、１５は空心形の入力トランスで、一次変流器２の２次出力が入力される１次巻線１６と、後述する積分器１９への出力を取り出す２次巻線１７と、同じく後述する監視信号が入力される監視巻線１８とを有している。
【００１８】
１９は、入力トランス１５の２次巻線１７からの信号を積分して出力する積分器で、後述するように、各抵抗、コンデンサの定数を所定の値に設定することにより、ローカットのフィルタ特性を持たせている。５は従来と同様、折り返し周波数以上の高調波数成分を除去するハイカットのフィルタ特性を有するアナログフィルタ、６はアナログフィルタ５からの出力を一定周期で一定時間保持するサンプルホールドである。
【００１９】
２０は監視信号発生部で、監視信号を発生する基準信号発生器２１と、この基準信号発生器２１からの監視信号を増幅する増幅器２２とを備えている。ここでは、監視信号発生部２０は、後述するように、周波数ｆ1とｆ2との２つの監視信号を出力する。
１０はサンプルホールド６で保持した信号を切り替えるためのマルチプレクサ、１１はマルチプレクサ１０からの信号を量子化するＡ／Ｄ変換器、１２はＡ／Ｄ変換器１１の出力信号をディジタル処理することにより、電流検出信号の変化に応じて出力する保護リレー信号と監視信号の変化に応じて出力する機器異常（警報）信号を作成するディジタル処理部である。
【００２０】
図２は、図１の各構成部分が有する周波数特性を示すもので、図２（ａ）は入力トランス１５の周波数特性で、周波数とゲインとは比例関係にある。図２（ｂ）は積分器１９の周波数特性で、周波数とゲインとは反比例関係にあり、更に、低周波入力を積分しないように、周波数ｆa以下の低周波域のゲインを抑えている。
即ち、図１の積分器１９において、高帯域のゲインＧｈは（７）式で求まる。
Ｇｈ＝ωＣ１／Ｒ１          …（７）
また、低帯域のゲインＧｌは（８）式で求まる。
Ｇｌ＝Ｚｒ／Ｒ１            …（８）
ここで、
Ｚｒ＝Ｒ２｛１＋〔Ｒ３／（Ｒ４＋（１／ωＣ２））〕｝      …（９）
よって、全体のトータルゲインＧｔは、（１０）式で求まり、概略図２（ｂ）に示す特性となる。
Ｇｔ＝Ｇｈ・Ｇｌ            …（１０）
【００２１】
図２（ｃ）は、入力トランス１５と積分器１９とを組み合わせたときの周波数特性で、カットオフ周波数ｆaを有するローカット、ハイパスのフィルタ特性となる。
図２（ｄ）はアナログフィルタ５の周波数特性で、カットオフ周波数ｆbを有するハイカット、ローパスのフィルタ特性となっている。図２（ｅ）は、入力トランス１５、積分器１９及びアナログフィルタ５を直列接続したときの総合周波数特性を示すもので、低域側カットオフ周波数ｆa、高域側カットオフ周波数ｆbを有している。
【００２２】
次に、本来の保護リレーとしての動作について説明する。検出対象である系統電流Ｉは一次変流器２を経てその２次出力信号が入力トランス１５の１次巻線１６に入力される。この１次巻線１６と磁気結合した２次巻線１７にはその微分信号が得られるが、これを積分器１９で積分することにより、電流信号として出力される。この信号は更にアナログフィルタ５でフィルタ処理され、折り返し周波数以上の高周波成分が除去され、これがサンプルホールド６でサンプリングされ、マルチプレクサ１０を介してＡ／Ｄ変換器１１で量子化した後、ディジタル処理部１２でリレー演算を行い必要な保護リレー信号を出力する。
【００２３】
次に、本願発明の主題である、本装置内蔵機器の故障監視の動作について説明する。
この実施の形態１における保護リレー監視装置では、監視信号発生部２０から下式の関係にある２種類の周波数ｆ1，ｆ2をもつ監視信号を発生する。
ｆ1 ≒ ｆa                          …（１１）
ｆ2 ≒ ｆb                          …（１２）
【００２４】
ここで、ｆaは図２で説明した通り、積分器１９の有するローカットフィルタ特性のカットオフ周波数ｆaで、第１の監視信号の周波数ｆ1はこの周波数ｆaと等しいかその近傍の値に設定される。また、ｆbはアナログフィルタ５の有するハイカットフィルタ特性のカットオフ周波数ｆbで、第２の監視信号の周波数ｆ2はこの周波数ｆbと等しいかその近傍の値に設定される。
【００２５】
この周波数ｆ1、ｆ2の監視信号は監視巻線１８に入力され、以降、常時、リレー本来の検出対象の電流信号に重畳して、入力トランス１５、積分器１９、アナログフィルタ５、サンプルホールド６、マルチプレクサ１０、そしてＡ／Ｄ変換器１１を経てディジタル処理部１２に至り、ここで必要なディジタル処理がなされる。即ち、このディジタル処理部１２では、周波数ｆ1、ｆ2の信号成分を抽出し、そのレベルの変化から内部機器の故障監視を行う。
【００２６】
ここで、入力トランス１５からアナログフィルタ５までのアナログ回路における部品に故障が発生した場合の観測波形異常を列挙すると以下の通りである。
入力トランス１５の故障
（１）１次巻線１６の断線：系統周波数の信号が観測不可。
（２）監視巻線１８の断線：監視信号ｆ1、ｆ2が観測不可。
（３）２次巻線１７の断線：系統周波数、監視信号ｆ1、ｆ2が観測不可。
積分器１９の故障
（３）抵抗Ｒ１断線：系統周波数信号、監視信号ｆ1、ｆ2が観測不可。
（４）コンデンサＣ１断線：監視信号ｆ1、ｆ2成分が電源電圧まで上昇。
系統周波数信号、監視信号ｆ1、ｆ2が観測不可になる。
（５）抵抗Ｒ２またはＲ３断線：直流成分が電源電圧まで上昇。
（６）コンデンサＣ２断線：系統周波数信号、監視信号ｆ1、ｆ2が観測不可。
（７）抵抗Ｒ４断線：監視信号ｆ1成分は電源電圧まで上昇する。監視信号ｆ2成分に変化がない。
アナログフィルタ５の故障は、ディジタル保護リレーｆ2の成分を観測することにより検出が可能である。
【００２７】
具体的な周波数の設定例としては、系統周波数５０Ｈｚまたは６０Ｈｚに対し、監視信号の周波数ｆ1としては例えば１Ｈｚ、また周波数ｆ2としては例えば４８０Ｈｚに設定する。
従って、ディジタル処理部１２では、そのＣＰＵ内のＳ／Ｗ処理により、５０Ｈｚまたは６０Ｈｚの系統周波数の成分および必要に応じて所定範囲の分数調波、高調波の成分を抽出して、本来の保護リレーとしての動作を行うとともに、ｆ1＝１Ｈｚおよびｆ2＝４８０Ｈｚの周波数成分を抽出し、両抽出信号のいずれかまたは両者が所定の設定範囲を越えるとこれを検出して機器異常（警報）信号を出力する監視動作を行う。
【００２８】
なお、抽出した監視信号の変化から故障発生を判別する際の変化観測対象としては、監視信号の振幅変化を観測対象としてもよいが、このカットオフ周波数近傍の監視信号は故障によりその位相も変化するので、監視信号の位相を検出しこれを観測対象として故障判別を行うようにしてもよい。以下の実施の形態の場合も同様である。
【００２９】
実施の形態２．
図３はこの発明の実施の形態２における保護リレー監視装置を示す構成図である。以下、実施の形態1と異なる部分を中心に説明する。この形態２では、アナログフィルタとして、形態１でのハイパスフィルタに替わりバンドパスフィルタ２３を用いている。これは、本来の保護リレー動作特性の要求仕様から採用されるものである。この場合、バンドパスフィルタ２３には高域側のカットオフ周波数ｆbに加え低域側のカットオフ周波数ｆｃが存在する。そして、この周波数ｆｃは例えば１０Ｈｚ程度であり、ｆa＜ｆc＜ｆbの関係が成立する。
【００３０】
以上から、この実施の形態２における保護リレー監視装置では、監視信号発生部２０から下式の関係にある３種類の周波数ｆ1、ｆ2、ｆ3をもつ監視信号を発生する。
ｆ1 ≒ ｆa                          …（１３）
ｆ2 ≒ ｆb                          …（１４）
ｆ3 ≒ ｆc                          …（１５）
この場合、上記した各周波数の関係から、監視信号ｆ1はバンドパスフィルタ２３を通過できないので、図３に示すようにこのｆ1成分は積分器１９から直接サンプルホールド６−１を経てディジタル処理部１２に入力している。
【００３１】
従って、ディジタル処理部１２では、そのＣＰＵのＳ／Ｗ処理により、監視信号のｆ1成分、ｆ2成分、そしてｆ3成分を抽出し、これら抽出した監視信号ｆ1の変化から入力トランス１５と積分器１９の故障が、また、監視信号ｆ2の変化からバンドパスフィルタ２３の高域側の特性を形成する部品の故障が、更に監視信号ｆ3の変化からバンドパスフィルタ２３の低域側の特性を形成する部品の故障がそれぞれ確実に検出することが可能となる。
【００３２】
実施の形態３．
図４はこの発明の実施の形態３における保護リレー監視装置を示す構成図である。以下、先の形態例と異なる部分を中心に説明する。この実施の形態３では、監視信号発生部２４の基準信号発生器２１で発生した周波数ｆ1の監視信号は増幅器２２−１から入力トランス１５の監視巻線１８に入力される。一方、周波数ｆ2の監視信号は増幅器２２−２から直接アナログフィルタ５に入力される。アナログフィルタ５は実施の形態１の場合と同一のカットオフ周波数ｆbのローカット、ハイパスフィルタ特性を有するものである。
【００３３】
ディジタル処理部１２では、実施の形態１の場合と同様、監視信号ｆ1とｆ2の成分を抽出し、これら抽出した監視信号ｆ1の変化から入力トランス１５と積分器１９の故障の有無を判別し、監視信号ｆ2の変化からアナログフィルタ５の故障の有無を判別する。
この場合、特に監視信号ｆ2については、その監視対象であるアナログフィルタ５に直接入力しているので、その分故障発生部位の判別がより高い精度でなされる利点がある。
【００３４】
なお、以上の実施の形態例では、各フィルタ特性のカットオフ周波数またはその近傍の周波数の２種類または３種類の周波数の監視信号を同時に発生させて各部の故障監視を行う構成としているが、アナログ回路の構成によっては、更に多くの種類の周波数の監視信号を発生させて故障監視を行う構成としてもよいことは勿論、１個所の部位のフィルタ特性に着目し、そのフィルタ特性のカットオフ周波数またはその近傍の周波数を持つ１種類の監視信号を発生して当該部位の故障監視を行うようにしてもよい。
【００３５】
【発明の効果】
以上のように、この発明に係る保護リレー監視装置は、監視信号を発生する監視信号発生器、検出対象信号が入力される１次巻線と上記監視信号が入力される監視巻線と上記両巻線と磁気的に結合された２次巻線とを有する空心形の入力トランス、ローカットのフィルタ特性を有し上記２次巻線からの信号を積分する積分器、ハイカットのフィルタ特性を有し上記積分器からの信号の周波数特性を調整するアナログフィルタ、このアナログフィルタからの信号をディジタル信号に変換するＡ／Ｄ変換器、およびこのＡ／Ｄ変換器からの信号を処理することにより、上記検出対象信号の変化に応じて出力する保護リレー信号と上記監視信号の変化に応じて出力する機器異常信号を作成するディジタル処理部を備えた保護リレー監視装置であって、
上記監視信号発生器で発生する監視信号の周波数を上記フィルタ特性のカットオフ周波数またはその近傍の周波数に設定したので、当該フィルタ特性を形成する部位の故障発生有無を確実に判別することができる。
【００３６】
また、この発明に係る保護リレー監視装置の監視信号発生器は第１および第２の監視信号を発生し、上記第１の監視信号の周波数は上記積分器の有するフィルタ特性のカットオフ周波数またはその近傍の周波数に設定し、上記第２の監視信号の周波数は上記アナログフィルタの有するフィルタ特性のカットオフ周波数またはその近傍の周波数に設定したので、入力トランス、積分器およびアナログフィルタの故障発生有無を確実に判別することができる。
【００３７】
また、この発明に係る保護リレー監視装置は、その第１および第２の監視信号の両信号を入力トランスの監視巻線に入力するようにしたので、監視装置に係る回路構成が簡単となる。
【００３８】
また、この発明に係る保護リレー監視装置は、その第１の監視信号は入力トランスの監視巻線に入力し、第２の監視信号はアナログフィルタに直接入力するようにしたので、両監視信号による故障部位の判別がより高い精度で行い得る。
【００３９】
また、この発明に係る保護リレー監視装置は、そのアナログフィルタの有するフィルタ特性が高域側および低域側のカットオフ周波数を有するバンドパス特性であって、上記低域側カットオフ周波数が積分器のフィルタ特性のカットオフ周波数より高い場合、
監視信号発生器は第１および第２の監視信号に加え、上記アナログフィルタの低域側カットオフ周波数またはその近傍の周波数の第３の監視信号を発生すると共に、上記第１の監視信号の監視は、上記アナログフィルタを経由すること無く上記積分器から導出しＡ／Ｄ変換した信号に基づき行うようにしたので、入力トランスおよび積分器の故障は勿論、アナログフィルタの高域側特性および低域側特性を形成する部品の故障をすべて確実に検出することが可能となる。
【００４０】
また、この発明に係る保護リレー監視装置のディジタル処理部は、検出した監視信号の振幅の変化が所定の設定範囲を越えたとき機器異常信号を出力するので、ディジタル処理部における監視動作が確実になされる。
【００４１】
また、この発明に係る保護リレー監視装置のディジタル処理部は、検出した監視信号の位相の変化が所定の設定範囲を越えたとき機器異常信号を出力するので、ディジタル処理部における監視動作が確実になされる。
【図面の簡単な説明】
【図１】  この発明の実施の形態１における保護リレー監視装置を示す構成図である。
【図２】  図１のアナログ回路部分の有する周波数特性を説明する図である。
【図３】  この発明の実施の形態２における保護リレー監視装置を示す構成図である。
【図４】  この発明の実施の形態３における保護リレー監視装置を示す構成図である。
【図５】  従来の保護リレー監視装置を示す構成図である。
【図６】  図５のディジタルフィルタの周波数特性を説明する図である。
【図７】  図５のディジタルフィルタの周波数特性を説明する図である。
【符号の説明】
５  アナログフィルタ、１１  Ａ／Ｄ変換器、１２  ディジタル処理部、
１５  入力トランス、１６  １次巻線、１７  ２次巻線、１８  監視巻線、
１９  積分器、２０，２４  監視信号発生部、２３  バンドパスフィルタ。
【図１】
0004149635.tif 000002
【図２】
0004149635.tif 000003
【図３】
0004149635.tif 000004
【図４】
0004149635.tif 000005
【図５】
0004149635.tif 000006
【図６】
0004149635.tif 000007
【図７】
0004149635.tif 000008